【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
予め選択された分子及び哺乳動物の熱ショックタンパク質又はそのCD40結合の断片を含む、共有結合した複合体又は非共有結合した複合体の細胞への結合を増大させるため、哺乳動物の対象物へ投与するため、又はex vivoにおいて対象物から抗原提示細胞へ暴露するための医薬物を調製するため、哺乳動物の細胞によりCD40の発現を増大させる物質(agent)の使用。
【請求項２】
予め選択された分子及び哺乳動物の熱ショックタンパク質又はそのCD40結合の断片を含む、共有結合の複合体又は非共有結合の複合体の細胞への摂取を増大させるため、哺乳動物の対象物へ投与するため、又はex vivoにおいて対象物から抗原提示細胞へ暴露するための医薬物を調製するため、哺乳動物の細胞によりCD40の発現を増大させる物質(agent)の使用。
【請求項３】
予め選択された抗原及び哺乳動物の熱ショックタンパク質又はそのCD40結合の断片を含む、共有結合の複合体又は非共有結合の複合体中に存在する予め選択された抗原で、対象物における抗原に対する免疫応答の発生を高めるため、哺乳動物の対象物へ投与するため、又はex vivoにおいて対象物から抗原提示細胞へ暴露するための医薬物を調製するため、哺乳動物の細胞によりCD40の発現を増大させる物質(agent)の使用。
【請求項４】
予め選択された抗原及び哺乳動物の熱ショックタンパク質又はそのCD40結合の断片を含む、共有結合の複合体又は非共有結合の複合体中に存在する、予め選択された抗原で、哺乳動物における抗原に対する寛容性の発生を高めるため、哺乳動物の対象物へ投与するため、又はex vivoにおいて対象物から抗原提示細胞へ暴露するための医薬物を調製するため、哺乳動物の細胞によりCD40の発現を増大させる物質(agent)の使用。
【請求項５】
CD40を発現する細胞により又はCD40を発現するために誘発される細胞により、哺乳動物の熱ショックタンパク質及びそれに結合される分子の共有結合の複合体、又は非共有結合の複合体の摂取を減少させるため、哺乳動物の対象物に投与するため、又はex vivoにおいて対象物から抗原提示細胞へ暴露するための医薬物を調製するため、細胞により発現されるCD40への哺乳動物の熱ショックタンパク質の結合に干渉する物質(agent)の使用。
【請求項６】
CD40を発現する細胞により又はCD40を発現するために誘発される細胞により哺乳動物の熱ショックタンパク質及びそれに結合される分子の共有結合の複合体又は非共有結合の複合体への免疫応答を、対象物における発生を減少させるため、哺乳動物の対象物に投与するため、又はex vivoにおいて対象物から抗原提示細胞へ暴露するための医薬物を調製するため、細胞により発現されるCD40への哺乳動物の熱ショックタンパク質の結合に干渉する物質(agent)の使用。
【請求項７】
免疫原に対する免疫を誘発させるか又は増大させるため、対象物に投与するため、又はex vivoにおいて対象物の抗原提示細胞へ暴露するための医薬物を調製するため、哺乳動物の熱ショックタンパク質のCD40結合の断片及び免疫原の共有結合の結合体又は非共有結合の結合体の使用。
【請求項８】
前記抗原に対する免疫応答を誘発させるか又は増大させるため、対象物に投与するための医薬物の調製に対し、抗原又はその免疫部分との結合体又は複合体における哺乳動物の熱ショックタンパク質のCD40との結合断片の使用。
【請求項９】
前記抗原に対する免疫応答を誘発させるか又は増大させるため、哺乳動物の対象物へ投与するための医薬物を調製するため、抗原又はその免疫原部分との結合体又は複合体において、哺乳動物の熱ショックタンパク質又はその断片以外のCD40による結合分子の使用。
【請求項１０】
好ましくは前記CD40結合の断片が、前記哺乳動物の熱ショックタンパク質のペプチド-結合ドメインを含まず、そして好ましくは前記CD40結合の断片が、哺乳動物の熱ショックタンパク質のN-ドメインである、哺乳動物の熱ショックタンパク質のCD40結合の断片、及び共有的に又は非共有的に結合された予め選択された分子を含む組成物。
【請求項１１】
予め選択された分子に共有的に又は非共有的に結合され、熱ショックタンパク質、又はその断片以外のCD40の外形質ドメインに結合する分子を含む組成物。
【請求項１２】
天然の哺乳動物の熱ショックタンパク質又はその天然のCD40結合の断片と比較してCD40に対する親和性が増大し、修飾による哺乳動物の熱ショックタンパク質又はそのCD40結合断片を同定するための方法において、
天然の哺乳動物の熱ショックタンパク質又はそのCD40結合の断片、とCD40又はその哺乳動物の熱ショックタンパク質結合の断片との間の結合度を検出可能に測定するための有効な条件を提供し、前記修飾された熱ショックタンパク質又はそのCD40結合の断片を前記条件へ暴露し、そして天然の哺乳動物の熱ショックタンパク質、又は、それに対するCD40の結合断片に示される結合程度より多い、前記修飾による哺乳動物の熱ショックタンパク質又はそのCD40結合の断片による前記結合の程度と、CD40に結合する親和性が増大することとの相関関係を含む方法。
【請求項１３】
CD40の外形質ドメインに結合できる分子を同定するための方法において、所望によりその分子が、熱ショックタンパク質又はそのCD40結合の断片に対する親和性を有せず、hsp70ファミリー群などの哺乳動物の熱ショックタンパク質又はそのCD40結合の断片、とCD40又はその哺乳動物の熱ショックタンパク質の結合断片との間の結合度、好ましくはCD40のアミノ酸約20からアミノ酸約212を検出可能に測定できるための有効な条件を提供し、前記条件に前記分子を暴露し、そして前記分子により起こる前記結合の前記程度の変化と、CD40の形質外ドメインへの結合との相関性を提供することを含む方法。
【請求項１４】
前記医薬物が、哺乳動物の熱ショックタンパク質、及びそれに結合される予め選択された分子をさらに含み、好ましくはここで前記分子が、抗原又は免疫原を含む請求項2乃至４の何れか1項記載の使用。
【請求項１５】
前記哺乳動物の熱ショックタンパク質が、hsp70のファミリー群である請求項1乃至8のいずれか1項記載の使用。
【請求項１６】
前記物質(agent)が、CD40をコードするポリヌクレオチドを含む発現ベクターであり、その発現ベクターが、CD40の熱ショックタンパク質結合断片をコードするポリヌクレオチドを、又はCD40の発現によるカルシウム・イオノフォア量を増大する、IL-1α、TNF-α、INF-γ、IL-3、GM-CSF、又はLPSなどのサイトカインを含む請求項1乃至4の何れか1項記載の使用。
【請求項１７】
前記予め選択された分子が、抗原又はその免疫原の断片であり、所望により、抗原又はその免疫原の断片が、熱ショックタンパク質結合成分をさらに含む請求項1乃至6又は14の何れか1項記載の使用。
【請求項１８】
前記熱ショックタンパク質結合成分が、ペプチド又は有機分子である請求項17記載の使用。
【請求項１９】
前記予め選択された分子、免疫原、又は抗原が、感染性疾患の抗原、腫瘍抗原、自己免疫性抗原、又は移植抗原である請求項2乃至4又は7乃至9の何れか1項記載の使用。
【請求項２０】
前記細胞が、樹状細胞などの専用的な(professional)抗原提示細胞か又は、非専用的な(non-professional)抗原提示細胞である請求項1乃至7の何れか1項記載の使用。
【請求項２１】
前記投与が、in vitro,ex vivo又はin vivoにて行なわれる請求項1乃至9の何れか1項記載の使用。
【請求項２２】
前記物質(agent)への前記暴露、及び前記複合体への前記暴露が、in vitro,ex vivo及びin vivoから成る群から独立して選択される請求項14記載の使用。
【請求項２３】
前記物質(agent)が、CD40のアンチセンス・オリゴヌクレオチド、抗体、CD40L、そのCD40結合の断片などのCD40結合パートナー、アミノ酸1乃至5から開始し、そしてアミノ酸が約381に伸長するヒトhsp70の断片、又はそのいずれかのCD40結合の断片などの熱ショックタンパク質のCD40の結合断片を含む請求項5又は6記載の使用。
【請求項２４】
前記哺乳動物の熱ショックタンパク質が、hsp70ファミリー群である請求項10及び11のいずれか1項記載の組成物。
【請求項２５】
前記予め選択された分子が、抗原又はその免疫原の断片であり、所望により抗原又はその免疫原の断片が、熱ショックタンパク質の結合成分をさらに含む請求項10又は11の何れか1項記載の組成物。
【請求項２６】
前記予め選択された分子が、抗原又はその免疫原の断片であり、所望により抗原又はその免疫原の断片が、熱ショックタンパク質の結合成分をさらに含む請求項14記載の使用。